【事件の表示】
　平成　６年特許願第　８２５０６号「Ｘ線検査装置」拒絶査定不服審判事件〔平成　７年　１月１０日出願公開、特開平　７−　　６２２８〕について、次のとおり審決する。
【結　論】
　本件審判の請求は、成り立たない。
【理　由】
１．手続きの経緯・本願発明 
　本願は、平成６年３月２８日（パリ条約による優先権主張１９９３年３月３０日、オランダ）の出願であって、その請求項１に記載された発明は、平成１５年３月１８日付けの手続補正書によって補正された明細書及び図面の記載からみて、本願の特許請求の範囲の請求項１に記載された次のとおりのものである。（以下、「本願発明」という。）
　「【請求項１】被検査体に照射することによりＸ線画像を生成するＸ線源と、前記Ｘ線画像を可視画像に変換する放射線変換手段を備えた画像化部と、前記可視画像の一部分のサブ画像を基本電子サブ画像に変換する複数の画像センサと、前記基本電子サブ画像から再合成電子画像を生成する画像処理手段と、を有するＸ線検査装置であって、
前記画像処理手段は、それぞれの基本電子サブ画像にそれぞれ幾何学的変換処理を行うことにより変換電子サブ画像を生成する変換手段を含み、前記変換手段は、それぞれの基本電子サブ画像の画素アドレスが割り当てられる、それぞれの変換電子サブ画像の画素に対する画素値を決定する画素値補間手段を含むことを特徴とするＸ線検査装置。」
　
２．引用例  
（１）原査定の拒絶の理由に引用された米国特許第４５０３４６０号明細書（以下、「引用例１」という。）には、  
　ア　「SUMMARY OF THE INVENTION
The invention proceeds from the objective of producing an X-ray diagnostic installation of the type initially cited wherein, pursuant to utilization of conventional optoelectronic solid state image converters, the number of scanned image points increases substantially and wherein the circuit-technical outlay is kept low.
In accordance with the invention, the object is achieved in that the solid state image converter is constructed from n semiconductor image sensors each of which consists of one matrix of sensor elements, respectively, that the optic coupling device exhibits n lenses, whereby the lenses are so arranged that various regions from the output fluorescent screen of the X-ray image intensifier are imaged on the image sensors, so that the entire output fluorescent screen is scanned. Through the utilization of several image sensors the number of sensor elements correspondingly increases, so that this device can also be employed in high-resolution television installations.
Errors occurring in the image sensors can be eliminated if the lenses are so arranged that the regions imaged on the sensors at least partially overlap one another. A problem-free arrangement of the recording devices can be achieved if the X-ray image intensifier consists of a flat image intensifier. A correction of the video signals is achieved if a circuit is provided which eliminates the error locations contained in the image sensors. The dark current of the solid state image converters can be reduced if cooling elements are applied to the image sensors.
The invention shall be explained in greater detail in the following on the basis of an exemplary embodiment illustrated on the accompanying drawing sheet; and other objects, features and advantages will be apparent from this detailed disclosure and from the appended claims.」（３頁１欄３５行〜２欄３行）、
　イ　「In the FIGURE, an X-ray diagnostic installation comprising an X-ray tube 1 is illustrated which is operated by an X-ray generator 2. The irradiation beam emanating from the X-ray tube 1 passes through a patient 3 and forms an X-ray image on the inlet fluorescent screen of a flat image intensifier 4 which is connected with a high voltage generator 5. With an optic coupling device, which consists of several lenses 6, 8, the output image of the flat image intensifier 4 is transmitted to semiconductor image sensors 7, 9, which, for example, can comprise a matrix of photodiodes or CCD-image converters as sensor elements. The outputs of the image sensors 7, 9, are supplied to a circuit 10 which assembles the output signals of the image sensors into a video signal and recognizes thus-occurring error locations of the image sensors and eliminates the errors. In a following video amplifier 11 the video signals are amplified and are then displayed on a monitor 12. Secured to the image sensors 7, 9 are cooling elements 13, 14, for example Peltier elements.」（３頁左下２欄１１行〜３１行）、
　ウ　「In the circuit 10, connected with the output of the image sensors such as 7, 9, an image reconstruction is carried out. The output signals of the image converters are assembled into a video signal. Moreover, error locations are eliminated in that, during the manufacture of the X-ray diagnostic installation, the error locations of the image sensors such as 7, 9 are determined. In the overlapping regions then only the intact sensor element is actuated and read out. Since, in most instances, the output fluorescent screen of the image intensifier is round, but the image converters exhibit a rectangular shape, error locations can be permitted outside a circular region, since the latter region does not contribute to the image reconstruction. If, by contrast, error locations occur in the remaining region, the latter can be replaced by means of averaging of the image amplitudes of the surroundings of the error location. A circuit of this type is described in the Germman patent application No. P 31 39 331.4, so that it is not necessary to discuss this in further detail.」（３頁２欄５２行〜４頁３欄３行）が記載されている。
　これらの記載ア〜ウ及び図面によれば、引用例１には、「Ｘ線管１を含むＸ線診断装置であって、Ｘ線管１はＸ線発生器２によつて動作し、Ｘ線管１からの照射ビ−ムは患部３を通り、高電圧発生器５に接続された映像増倍装置４の入力蛍光面上にＸ線像を形成し、複数のレンズ６，８から成る光学結合装置により、映像増倍装置４の出力像は半導体イメ−ジセンサ７，９に伝達され、その際、レンズ６，８は、Ｘ線映像増倍装置の出力蛍光面の各々の区域の像がそれぞれのイメ−ジセンサ上に映されるように配置され、結果的に出力蛍光面全体が走査されるが、この半導体イメ−ジセンサは例えばセンサエレメントとしてフオトダイオ−ドまたはＣＣＤイメ−ジコンバ−タのマトリクスで構成され、イメ−ジセンサ７，９の出力は回路１０へ供給され、回路１０は、イメ−ジセンサの出力信号を映像信号に変換し、イメ−ジセンサの位置誤差を検知して排除し、映像信号はビデオアンプ１１で増幅され、モニタ１２に示されるＸ線診断装置」の発明（以下、「引用発明１」という。）が記載されている。  
（２）原査定の拒絶の理由に引用された特開平０５−０５６２５１号公報（以下、「引用例２」という。）には、  
　ア　　「【課題を解決するための手段】（第１発明）前記目的を達成するために、本発明の画像読取装置は、倍率を可変することができる結像光学手段と、当該結像光学手段に対して所定位置関係に配置されている撮像手段と、上記結像光学手段と撮像手段とが原稿画像に対してＸ軸およびＹ軸方向に走査できると共に、原稿画像を複数に分割して撮像できる走査手段と、分割されて撮像された分割画像を接合合成処理して一原稿画像データを得る接合合成処理手段とからなるものであって、前記分割画像の濃度を算出して、その全面が一様な濃度であるか否かを判別する濃度判別手段（図１の１２３）と、当該濃度判別手段（１２３）によって全面が一様な濃度であると判別された分割画像の歪み補正処理を省略する歪み補正処理手段（図１の１２５）とから構成される。」（４頁５欄８行〜２１行）、
　イ　　「【作    用】（第１発明）原稿画像は、解像度と読み取り開始を指示することによって、全体が撮像されると共に、たとえば、原稿のエッジ、傾き、あるいはズーム量等によって、画像の分割数が決定される。次に、分割された一つ一つの分割画像は、結像光学手段および撮像手段によってＸ軸およびＹ軸方向に走査されて読み取られる。分割された原稿画像は、斜め上方向からの走査に基づく傾き、あるいは原稿の置きかたによる傾き等によって発生する画像の傾きを幾何学的に補正する。そして、必要に応じて、たとえば濃度補正手段は、走査順に分割された原稿画像を接合合成する際に、各分割画像を接合合成した際に同一の濃度特性となるように補正する。しかし、原稿画像の多くは、文書画像であり、文書画像の周囲あるいはその一部に余白をもつ場合が大半である。また、文書以外の絵やグラフ等の画像でも中心部に画像が集中し、その周辺は背景とし一様な濃度であることが多い。たとえば、全面が白地である分割画像、あるいは全面が一様な濃度である分割画像は、高い確率で複数出現する。そこで、濃度判別手段は、分割画像の濃度を算出する際に、分割画像の全面が一様な濃度、たとえば、全部白、あるいは同一色の背景であるかを判別する。そして、歪み補正処理手段では、濃度判別手段によって全面が一様な濃度であると判別した分割画像の歪み補正処理を省略する。上記のような画像読取装置は、分割画像の全てに対して歪み補正処理を一律に適用していた従来例に比べて、前記処理を省略できる分だけ処理が軽減されると共に、処理速度を上げることができる。」（４頁５欄４０行〜６欄１６行）が記載されている。 
（３）原査定の拒絶の理由に引用された特開平０１−２２８０６９号公報（以下、「引用例３」という。）には、 　  
　ア　　「（課題を解決するための手段）
本発明は出力画像中で隣接する入力画像対について、入力画像材間の境界線上での対応点をそれぞれ求め、その対応点に基づいて入力画像対の少なくとも一方に、該入力画像対のそれぞれの対応点を互いに一致させ、しかも他の境界線上の空間的位置を変えないような幾何変換を施した後、入力画像対をつなぎ合せるようにしたものである。入力画像材間の境界線上での対応点をそれぞれ得る手段は、例えば入力画像対のそれぞれの該境界線上での特徴点を抽出し、入力画像対のそれぞれの特徴点どうしの最適な対応付けを行ない、対応付けられた特徴点を対応点として採用することにより実現される。幾何変換を施す手段は、例えば入力画像対の少なくとも一方について該入力画像対の境界線を含む所定の領域を指定し、その領域を該境界線の方向に並んだ複数の矩形領域に区切り、各矩形領域を対応点に基づいて台形変換することにより実現される。」（２頁右上欄６行〜左下欄５行）、
　イ　　「（作　用）
本発明では、出力画像中で隣接する入力画像対の少なくとも一方が幾何変換されてから出力画像が再構成されることによって、入力画像の入力歪があっても、入力画像間の境界線での不連続性のない出力画像が得られる。この場合、入力画像対のそれぞれの該境界線上での特徴点を抽出して最適な対応付けを行なうことにより、対応付けられた特徴点を対応点とする方法を用いれば、対応点が計算により自動的に求まるので、オペレータの負担が軽減される。さらに、幾何変換に際して入力画像対の境界線を含む帯状領域を分割してなる矩形領域を台形変換すれば、入力画像全体を幾何変換する場合に比較して計算量が少なくなり、変換処理が簡単となる。」（２頁左下欄６行〜右下欄１行）が記載されている。
　
３．対比 
　そこで、本願発明と引用発明１とを対比すると、引用発明１の「Ｘ線管１」は、Ｘ線管１からの照射ビ−ムは患部３を通り、高電圧発生器５に接続された映像増倍装置４の入力蛍光面上にＸ線像を形成するのであるから、本願発明の「被検査体に照射することによりＸ線画像を生成するＸ線源」に相当し、引用発明１の「映像増倍装置４」は、Ｘ線像を変換し、その出力像は半導体イメ−ジセンサ７，９に伝達されるのであるから、本願発明の「Ｘ線画像を可視画像に変換する放射線変換手段を備えた画像化部」に相当し、引用発明１の「半導体イメ−ジセンサ７，９」は、複数設けられており、可視画像を電子画像に変換するものであり、そして、出力蛍光面の各々の区域の像がそれぞれのイメ−ジセンサ上に映され、この各々の区域の像をサブ画像ということができるから、本願発明の「可視画像の一部分のサブ画像を基本電子サブ画像に変換する複数の画像センサ」に相当し、引用発明１の「回路１０」は、イメ−ジセンサの出力信号を合成して映像信号に変換するから、本願発明の「基本電子サブ画像から再合成電子画像を生成する画像処理手段」に相当する。
 　したがって、本願発明と引用発明１は、「被検査体に照射することによりＸ線画像を生成するＸ線源と、前記Ｘ線画像を可視画像に変換する放射線変換手段を備えた画像化部と、前記可視画像の一部分のサブ画像を基本電子サブ画像に変換する複数の画像センサと、前記基本電子サブ画像から再合成電子画像を生成する画像処理手段と、を有するＸ線検査装置。」の点で一致し、以下の点１〜２で相違する。
　相違点１ 
　本願発明は、「前記画像処理手段は、それぞれの基本電子サブ画像にそれぞれ幾何学的変換処理を行うことにより変換電子サブ画像を生成する変換手段を含み」という構成を備えるのに対して、引用発明１では、その構成が備えられていない点。 
　相違点２ 
　本願発明は、「変換手段は、それぞれの基本電子サブ画像の画素アドレスが割り当てられる、それぞれの変換電子サブ画像の画素に対する画素値を決定する画素値補間手段を含む」構成を備えるのに対して、引用発明１では、その構成が備えられていない点。 
 　  
４．当審の判断 
　相違点１について
　上述のとおり、引用発明１は、画像を分割し、サブ画像としたものを再合成するものといえるが、画像処理の技術分野においては、合成・再合成の際、歪みが無いようにすることは、当業者にとって、当然の課題であるといえるから、引用発明１もサブ画像の再合成を行う際、該課題を内在し備えているといえる。
　そして、引用例２に「画像の傾きを幾何学的に補正する」の記載があり、引用例３に「出力画像中で隣接する入力画像対の少なくとも一方が幾何変換されてから出力画像が再構成されることによって、入力画像の入力歪があっても、入力画像間の境界線での不連続性のない出力画像が得られる」の記載があり、上記課題の解決のため、幾何学的変換処理を行うことは、引用例２，３の記載された技術事項である。
　してみると、引用発明１の画像処理手段において、引用例２，３の記載された技術事項を採用し、「画像処理手段は、それぞれの基本電子サブ画像にそれぞれ幾何学的変換処理を行うことにより変換電子サブ画像を生成する変換手段を含み」という構成を採用することは、当業者が容易になし得たことである。
　相違点２について
　幾何学変換処理において、変換された画素位置が割り当てられた整数値の画素位置と一致しない場合、画素値補間手段を用いて、割り当てられた整数値の画素位置での画素値を決定することは常套手段であり（特開平４−８８５７８号公報、特開平４−２６８９７５号公報、特開平５−７３５２９号公報）、引用発明１の画像処理手段に、「それぞれの基本電子サブ画像にそれぞれ幾何学的変換処理を行うことにより変換電子サブ画像を生成する変換手段」を含むようにする際、該常套手段を含むようにすることは、当業者が、格別困難なくなし得たことである。
　してみると、引用発明１において、「変換手段は、それぞれの基本電子サブ画像の画素アドレスが割り当てられる、それぞれの変換電子サブ画像の画素に対する画素値を決定する画素値補間手段を含む」構成を備えることは、当業者が容易に想到し得たことである。
　
５．むすび  
　以上のとおり、本願発明は、引用例１，２、３に記載された発明に基づき当業者が容易に発明することができたものであるから、特許法第２９条第２項の規定により特許を受けることができない。 
　したがって、本願は、他の請求項に係る発明について検討するまでもなく、拒絶されるべきものである。  
　よって、結論のとおり審決する。